(57)【要約】【課題】より少ない挿入力でオスコンタクトをメスコンタクトに挿入できると共に、オスコンタクトとメスコンタクトとの接続状態を確実に維持することのできるコネクタ組立体を提供すること。【解決手段】メスコンタクト２００の受容部２１０の底面側は、第１隆起部２６０及び第２隆起部２７０を有する支持部２５０を構成し、支持部２５０の上方には、バネ部２８０が設けられている。オスコンタクト７００は、オスコンタクト７００とメスコンタクト２００との接続時において第１隆起部２６０及び第２隆起部２７０とバネ部２８０の接点２８２とで挟まれる接触部７１０と、先端７２０から接触部７１０まで第１テーパ範囲に亘って傾斜した上側傾斜部７３０と、先端７２０から接触部７１０まで第２テーパ範囲に亘って傾斜した下側傾斜部７４０とを有している。ここで、第１テーパ範囲は、Ｘ方向（挿入方向）において第２テーパ範囲よりも長い。【選択図】図１４
2012079505.tif 000002
【特許請求の範囲】
【請求項１】
メスコンタクトと前記メスコンタクトを保持する第１ハウジングとを備える第１コネクタと、オスコンタクトと前記オスコンタクトを保持する第２ハウジングとを備える第２コネクタとを備え、挿入方向に沿って前記メスコンタクトに前記オスコンタクトを挿入することにより、前記第１コネクタと前記第２コネクタとを嵌合接続するコネクタ組立体であって、
前記メスコンタクトは、支持部と、前記挿入方向と直交する垂直方向において前記支持部の上方に位置するように設けられたバネ部とを備えており、
前記支持部は、前記挿入方向において離間して設けられた立上がり部と立下がり部とを有しており、
前記バネ部は、前記挿入方向において前記立上がり部の最上点と前記立下がり部の最上点との間に位置するように設けられた接点を有しており、
前記オスコンタクトは、前記垂直方向において前記立上がり部及び前記立下がり部と前記バネ接点との間に前記挿入方向に沿って挿入されるものであり、
前記オスコンタクトは、前記オスコンタクトが前記メスコンタクトに挿入された際に前記垂直方向において前記立上がり部の前記最上点及び前記立下がり部の前記最上点と前記接点とで挟まれる接触部と、先端と、前記先端から前記接触部まで第１テーパ範囲に亘って傾斜した上側傾斜部と、前記先端から前記接触部まで第２テーパ範囲に亘って傾斜した下側傾斜部とを有しており、
前記挿入方向において、前記第１テーパ範囲は、前記第２テーパ範囲よりも長い
コネクタ組立体。
【請求項２】
請求項１記載のコネクタ組立体であって、
前記先端の前記垂直方向における中心は、前記接触部の前記垂直方向における中心よりも下側に位置している
コネクタ組立体。
【請求項３】
請求項１又は請求項２記載のコネクタ組立体であって、
前記上側傾斜部の傾斜角は、前記下側傾斜部の傾斜角よりも緩やかである
コネクタ組立体。
【請求項４】
請求項１乃至請求項３のいずれかに記載のコネクタ組立体であって、
前記支持部は、前記挿入方向において離間して位置すると共に上方に隆起した第１隆起部及び第２隆起部を有しており、
前記立上がり部の前記最上点は、前記第１隆起部の頂点であり、
前記立下がり部の前記最上点は、前記第２隆起部の頂点である
コネクタ組立体。
【請求項５】
請求項１乃至請求項３のいずれかに記載のコネクタ組立体であって、
前記支持部は、上方に隆起した隆起部を有しており、
前記立上がり部と前記立下がり部は、前記隆起部に設けられており、
前記立上がり部の前記最上点と前記立下がり部の前記最上点とは平面で連結されている
コネクタ組立体。
【請求項６】
請求項１乃至請求項５のいずれかに記載のコネクタ組立体であって、
前記メスコンタクトと前記オスコンタクトとは、夫々、複数グループずつあり、
前記第１コネクタと前記第２コネクタとを嵌合接続する際に、一つの前記グループに属する前記オスコンタクトの前記接触部がそれに対応する前記メスコンタクトの前記接点に接触するタイミングと、他の前記グループに属する前記オスコンタクトの前記接触部がそれに対応する前記メスコンタクトの前記接点に接触するタイミングとが異なるように、前記メスコンタクトと前記オスコンタクトとは前記第１ハウジングと前記第２ハウジングとに夫々保持されている
コネクタ組立体。
【発明の詳細な説明】
【技術分野】
【０００１】
本発明は、２つのコネクタを嵌合接続してなるコネクタ組立体に関する。
【背景技術】
【０００２】
第１コネクタのメスコンタクト又はソケットコンタクトを第２コネクタのオスコンタクト又はピンコンタクトに挿入接続するコネクタ組立体としては、例えば、特許文献１や特許文献２に開示されたものがある。メスコンタクトの例については、特許文献１の図７参照。オスコンタクトの例については特許文献２の図２参照。
【０００３】
特許文献１のメスコンタクトは、上方へ向かって隆起した第１隆起部及び第２隆起部の形成された支持部を下側に有すると共に、接点を有するバネ部を上側に有している。バネ部の接点は、挿入方向において、第１隆起部と第２隆起部との間に位置している。このように配置された第１隆起部及び第２隆起部と接点とで、オスコンタクトをメスコンタクトに挿入した際にオスコンタクトを挟むこととすると、ガタつきのない接続を得ることができる。
【０００４】
特許文献２のオスコンタクトは、一定の断面形状を有する接触部と、接触部から先端に向かって先細る形状を有する挿入部とを有している。挿入部がない場合と比較して、挿入部があることから、少ない挿入力でオスコンタクトをメスコンタクトに挿入することができる。
【先行技術文献】
【特許文献】
【０００５】
【特許文献１】特開２００４−２８１２０７号公報
【特許文献２】特開２００９−１０５０１１号公報
【発明の概要】
【発明が解決しようとする課題】
【０００６】
本発明は、より少ない挿入力でオスコンタクトをメスコンタクトに挿入できると共に、オスコンタクトとメスコンタクトとをガタつきなく接続させることができ、且つ、その接続状態を高い信頼性をもって維持することのできるコネクタ組立体を提供することを目的とする。
【課題を解決するための手段】
【０００７】
本発明によれば、第１のコネクタ組立体として、
メスコンタクトと前記メスコンタクトを保持する第１ハウジングとを備える第１コネクタと、オスコンタクトと前記オスコンタクトを保持する第２ハウジングとを備える第２コネクタとを備え、挿入方向に沿って前記メスコンタクトに前記オスコンタクトを挿入することにより、前記第１コネクタと前記第２コネクタとを嵌合接続するコネクタ組立体であって、
前記メスコンタクトは、支持部と、前記挿入方向と直交する垂直方向において前記支持部の上方に位置するように設けられたバネ部とを備えており、
前記支持部は、前記挿入方向において離間して設けられた立上がり部と立下がり部とを有しており、
前記バネ部は、前記挿入方向において前記立上がり部の最上点と前記立下がり部の最上点との間に位置するように設けられた接点を有しており、
前記オスコンタクトは、前記垂直方向において前記立上がり部及び前記立下がり部と前記バネ接点との間に前記挿入方向に沿って挿入されるものであり、
前記オスコンタクトは、前記オスコンタクトが前記メスコンタクトに挿入された際に前記垂直方向において前記立上がり部の前記最上点及び前記立下がり部の前記最上点と前記接点とで挟まれる接触部と、先端と、前記先端から前記接触部まで第１テーパ範囲に亘って傾斜した上側傾斜部と、前記先端から前記接触部まで第２テーパ範囲に亘って傾斜した下側傾斜部とを有しており、
前記挿入方向において、前記第１テーパ範囲は、前記第２テーパ範囲よりも長い
コネクタ組立体が得られる。
【０００８】
また、本発明によれば、第２のコネクタ組立体として、第１のコネクタ組立体であって、
前記先端の前記垂直方向における中心は、前記接触部の前記垂直方向における中心よりも下側に位置している
コネクタ組立体が得られる。
【０００９】
また、本発明によれば、第３のコネクタ組立体として、第１又は第２のコネクタ組立体であって、
前記上側傾斜部の傾斜角は、前記下側傾斜部の傾斜角よりも緩やかである
コネクタ組立体が得られる。
【００１０】
また、本発明によれば、第４のコネクタ組立体として、第１乃至第３のいずれかのコネクタ組立体であって、
前記支持部は、前記挿入方向において離間して位置すると共に上方に隆起した第１隆起部及び第２隆起部を有しており、
前記立上がり部の前記最上点は、前記第１隆起部の頂点であり、
前記立下がり部の前記最上点は、前記第２隆起部の頂点である
コネクタ組立体が得られる。
【００１１】
また、本発明によれば、第５のコネクタ組立体として、第１乃至第３のいずれかのコネクタ組立体であって、
前記支持部は、上方に隆起した隆起部を有しており、
前記立上がり部と前記立下がり部は、前記隆起部に設けられており、
前記立上がり部の前記最上点と前記立下がり部の前記最上点とは平面で連結されている
コネクタ組立体が得られる。
【００１２】
また、本発明によれば、第６のコネクタ組立体として、第１乃至第５のいずれかのコネクタ組立体であって、
前記メスコンタクトと前記オスコンタクトとは、夫々、複数グループずつあり、
前記第１コネクタと前記第２コネクタとを嵌合接続する際に、一つの前記グループに属する前記オスコンタクトの前記接触部がそれに対応する前記メスコンタクトの前記接点に接触するタイミングと、他の前記グループに属する前記オスコンタクトの前記接触部がそれに対応する前記メスコンタクトの前記接点に接触するタイミングとが異なるように、前記メスコンタクトと前記オスコンタクトとは前記第１ハウジングと前記第２ハウジングとに夫々保持されている
コネクタ組立体が得られる。
【発明の効果】
【００１３】
オスコンタクトがメスコンタクトに挿入された際に垂直方向においてメスコンタクトの立上がり部の最上点及び立下がり部の最上点とバネ部の接点とでオスコンタクトの接触部を挟むこととしたため、オスコンタクトのメスコンタクトに対するガタつきのない接続を得ることができる。一方、メスコンタクトのバネ部からバネ力を受けるオスコンタクトの挿入部の上側傾斜部の第１テーパ範囲をバネ部とは直接的には接しない下側傾斜部の第２テーパ範囲よりも長くしたことから、オスコンタクトの挿入時にスムーズに挿入することができる。
【図面の簡単な説明】
【００１４】
【図１】本発明の実施の形態によるコネクタ組立体を構成する第１コネクタを示す正面図である。
【図２】図１の第１コネクタをII--II線に沿って示す断面図である。
【図３】図１の第１コネクタに含まれるメスコンタクトを示す一部切り欠き断面図である。
【図４】図３のメスコンタクトの受容部とその近傍を拡大して示す断面図である。
【図５】図４のメスコンタクトの変形例を示す断面図である。
【図６】本発明の実施の形態によるコネクタ組立体を構成する第２コネクタ示す正面図である。
【図７】図６の第２コネクタをVII--VII線に沿って示す断面図である。
【図８】図６の第２コネクタを示す斜視図である。
【図９】図６の第２コネクタに含まれるオスコンタクトを示す側面図である。
【図１０】図９のオスコンタクトの先端とその近傍を拡大して示す側面図である。
【図１１】メスコンタクトにオスコンタクトを挿入し始めた状態を示す側面図である。ここで、メスコンタクトの受容部は、断面で示されている。
【図１２】図１１の状態の一部を拡大して示す図である。
【図１３】メスコンタクトとオスコンタクトとを接続した状態を示す図である。ここで、メスコンタクトの受容部は、断面で示されている。
【図１４】図１３の状態の一部を拡大して示す図である。
【図１５】比較例のメスコンタクト及びオスコンタクトを示す図である。
【図１６】挿入量と挿入力との関係を示すグラフである。
【図１７】第１コネクタと第２コネクタを嵌合する過程を示す断面図である。
【図１８】第１コネクタと第２コネクタを嵌合した状態を示す断面図である。
【発明を実施するための形態】
【００１５】
本発明の実施の形態によるコネクタ組立体は、防水機能を有するものであり、図１及び図２に示される第１コネクタ１００と、図６乃至図８に示される第２コネクタ６００とを備えている。但し、本発明は防水機能を有するものに限定されるわけではなく、防水機能を有しないコネクタ組立体に対しても適用可能である。
【００１６】
図１及び図２に示されるように、第１コネクタ１００は、複数のメスコンタクト２００と、メスコンタクト２００を保持する第１ハウジング３００と、第１ハウジング３００の前端３００ｆ近傍に取り付けられるフロントシール部材４００及びフロントキャップ４５０と、第１ハウジング３００の後端３００ｒ近傍に取り付けられるリアシール部材５００及びリアキャップ５５０とを備えている。
【００１７】
図３に最も良く示されるように、メスコンタクト２００は、一枚の金属板を加工して構成されるものであり、略角筒状の受容部２１０と、ケーブル９００の導線９１０に接続される結線部２２０と、ケーブル９００の外被９２０上にかしめられるかしめ部２３０とを有している。
【００１８】
図３及び図４に示されるように、受容部２１０は、その底面で構成される支持部２５０と、支持部２５０とＺ方向（垂直方向）において対向する（即ち、支持部２５０の上方に位置する）バネ部２８０とを有している。
【００１９】
図４に最も良く示されるように、本実施の形態による支持部２５０には、Ｚ方向に向かって（上方に向かって）隆起した第１隆起部２６０及び第２隆起部２７０が形成されている。第１隆起部２６０と第２隆起部２７０とは、Ｘ方向（挿入方向）において離間して設けられている。第１隆起部２６０の前側のスロープは立上がり部２６２として構成され、第２隆起部２７０の後側のスロープは立下がり部２７２として構成される。即ち、第１隆起部２６０の頂点２６４は、立上がり部２６２の最上点であり、第２隆起部２７０の頂点２７４は、立下がり部２７２の最上点である。
【００２０】
図３及び図４に示されるように、バネ部２８０は、受容部２１０の前端近傍（入口付近）から後方に向かって折り返され、構成されている。即ち、バネ部２８０は、受容部２１０の前端近傍（入口付近）を支点として弾性変形可能となっている。このバネ部２８０には、−Ｚ方向（下方）に張り出た接点２８２が設けられている。接点２８２は、Ｘ方向において、第１隆起部２６０の頂点２６４と第２隆起部２７０の頂点２７４との間に位置している。即ち、接点２８２と立上がり部２６２の最上点と立下がり部２７２の最上点とを結ぶと三角形が構成されるように、接点２８２は、Ｘ方向において、立上がり部２６２の最上点と立下がり部２７２の最上点との間に位置している。
【００２１】
図２に示されるように、第１ハウジング３００は、前方に突出した嵌合部３１０と、嵌合部３１０から離れるようにして嵌合部３１０の周囲を覆う外覆部３２０とを有している。また、第１ハウジング３００には、後端３００ｒから嵌合部３１０の前端まで貫通すると共に上述したメスコンタクト２００を収容するコンタクト収容部３３０が形成されている。このコンタクト収容部３３０内には、斜め下前方に延びるランス３４０が設けられており、コンタクト収容部３３０内に収容されたメスコンタクト２００の受容部２１０の後端をランス３４０によって押さえることにより、コンタクト収容部３３０内に収容されたメスコンタクト２００の後方への抜け落ちが防止されている。本実施の形態によるコンタクト収容部３３０は、ランス３４０も含め、すべて同じ形状を有しており、また、そこに収容されるメスコンタクト２００もすべて同じ形状を有している。従って、メスコンタクト２００がコンタクト収容部３３０に収容された状態において、すべてのバネ部２８０の接点２８２の位置は、Ｘ方向において一致している。嵌合部３１０と外覆部３２０との間には、嵌合部３１０の後端近傍から後方に向かって延びるロックアーム３５０が設けられている。ロックアーム３５０には、上方に突出した係止爪３５５が設けられている。
【００２２】
フロントシール部材４００は、嵌合部３１０の周囲に取り付けられており、フロントキャップ４５０は、嵌合部３１０の前端に取り付けられている。フロントキャップ４５０には、規制突起４７０が設けられている。これら規制突起４７０は、フロントキャップ４５０の取り付け時に対応するコンタクト収容部３３０内に挿入され、それによって、ランス３４０の動きを規制している。
【００２３】
リアシール部材５００には貫通孔が設けられており、それら貫通孔内にケーブル９００の一部が位置している。リアキャップ５５０は、そのリアシール部材５００の後方に位置するように、第１ハウジング３００の後端３００ｒ側から取り付けられている。
【００２４】
上述した本実施の形態による第１コネクタ１００のメスコンタクト２００の支持部２５０は、第１隆起部２６０と第２隆起部２７０の２つの隆起部を有しているが、本発明はこれに限定されるわけではなく、立上がり部と立下がり部を有している限り、異なる構成・形状を有していてもよい。例えば、図５に示されるように、支持部２５０ａに隆起部２６０ａを一つのみ設けることとし、その前側のスロープを立上がり部２６２ａとし、後側のスロープを立下がり部２７２ａとしてもよい。この場合、立下がり部２６２ａの最上点２６４ａと立下がり部２７２ａの最上点２７４ａとは平面２７７で連結されている。
【００２５】
一方、図６乃至図８に示されるように、第２コネクタ６００は、複数のオスコンタクト７００と、オスコンタクト７００を保持する第２ハウジング８００とを備えている。
【００２６】
本実施の形態によるオスコンタクト７００は後述するように３種類あるが、概略的には互いに類する形状を有している。詳しくは、図７、図９及び図１０に示されるように、オスコンタクト７００は、第２ハウジング８００に保持される保持部７６０と、接触部７１０と、先端７２０から接触部７１０まで傾斜した上側傾斜部７３０と、先端７２０から接触部７１０まで傾斜した下側傾斜部７４０と、第２コネクタ６００が基板（図示せず）に搭載された際に基板上の導体パターンに接続固定される固定部７５０とを備えており、概略、Ｌ字状の形状を有している。
【００２７】
このオスコンタクト７００は、図１１乃至図１４に示されるように、メスコンタクト２００の受容部２１０内に挿入され、メスコンタクト２００と接続されるものである。より詳しくは、オスコンタクト７００は、Ｚ方向における第１隆起部２６０の頂点２６４及び第２隆起部２７０の頂点２７４とバネ部２８０の接点２８２との間に、Ｘ方向に沿って挿入され、それによってメスコンタクト２００に接続されるものである。接触部７１０は、この接続の際に（即ち、オスコンタクト７００がメスコンタクト２００に挿入された際に）、Ｚ方向において第１隆起部２６０の頂点２６４及び第２隆起部２７０の頂点２７４とバネ部２８０の接点２８２とで挟まれる部位である。即ち、接触部７１０は、第１隆起部２６０の頂点２６４と第２隆起部２７０の頂点２７４とバネ部２８０の接点２８２とで三点支持される。
【００２８】
図１０に示されるように、上側傾斜部７３０は、先端７２０からメスコンタクト２００との接続部となる接触部７１０の方向へ第１テーパ範囲ＴＲ１に亘って傾斜しており、下側傾斜部７４０は、先端７２０から接触部７１０の方向へ第２テーパ範囲ＴＲ２に亘って傾斜している。ここで、Ｘ方向において、第１テーパ範囲ＴＲ１は、第２テーパ範囲ＴＲ２よりも長く、上側傾斜部７３０の傾斜角は、下側傾斜部７４０の傾斜角よりも緩やかである。更に、本実施の形態によるオスコンタクト７００は、メスコンタクト２００に挿入された状態においてバネ部２８０から遠ざかる方へ偏心している。詳しくは、図１０及び図１４から理解されるように、先端７２０のＺ方向における中心Ｃｔは、接触部７１０のＺ方向における中心よりもバネ部２８０から離れる方向へズレている（即ち、下側に位置している）。
【００２９】
図７及び図８に示されるように、第２ハウジング８００は、第１コネクタ１００に対する第２コネクタ６００の嵌合時に第１ハウジング３００の嵌合部３１０を収容する収容部８１０と、第２コネクタ６００が基板（図示せず）に搭載された際に基板の孔に嵌合固定される搭載ポスト８２０とを有している。収容部８１０には、収容部８１０の上面をＺ方向に貫通した係止孔８１２が設けられている。収容部８１０は、第１コネクタ１００に対する第２コネクタ６００の嵌合時に第１ハウジング３００の嵌合部３１０と外覆部３２０との間に挿入される。その際、第１ハウジング３００のロックアーム３５０の係止爪３５５が収容部８１０の係止孔８１２内に位置するため、第１コネクタ１００と第２コネクタ６００との嵌合状態がロックされる。
【００３０】
図６及び図７に示されるように、本実施の形態においては、上段、中段、下段の３段構成となるように、オスコンタクト７００が第２ハウジング８００に保持されている。具体的には、オスコンタクト７００は、先端７２０が収容部８１０内に位置するように第２ハウジング８００の後端８００ｒから圧入され、それによって、第２ハウジング８００に保持されている。特に、本実施の形態において、上段のオスコンタクト７００ａ、中段のオスコンタクト７００ｂ及び下段のオスコンタクト７００ｃは、上述したように概略的には同じような形状であるが、互いに異なるサイズを有している。また、本実施の形態においては、上側傾斜部７３０と接触部７１０の境界部（図１０も参照）から収容部８１０の前端（即ち、第２ハウジング８００の前端８００ｆ）までの距離Ｐ１，Ｐ２，Ｐ３を段毎に異ならせることとしている。具体的には、上段のオスコンタクト７００ａの上側傾斜部７３０と接触部７１０の境界部から収容部８１０の前端までの距離Ｐ１は、中段のオスコンタクト７００ｂの上側傾斜部７３０と接触部７１０の境界部から収容部８１０の前端までの距離Ｐ２よりも長く、また、中段のオスコンタクト７００ｂの上側傾斜部７３０と接触部７１０の境界部から収容部８１０の前端までの距離Ｐ２は、下段のオスコンタクト７００ｃの上側傾斜部７３０と接触部７１０の境界部から収容部８１０の前端までの距離Ｐ３よりも長い。即ち、Ｐ１＜Ｐ２＜Ｐ３となっている。
【００３１】
図１５に示されるような比較例によるオスコンタクト７００′とメスコンタクト２００との接続と上述した実施の形態によるオスコンタクト７００とメスコンタクト２００との接続とを比較した結果を図１６に示す。なお、図１５に示されるように、比較例によるオスコンタクト７００における上側傾斜部７３０′と下側傾斜部７４０′のテーパ範囲は、互いに同じである。
【００３２】
本実施の形態によるオスコンタクト７００は、メスコンタクト２００に挿入された状態においてバネ部２８０から遠ざかる方へ偏心しているため、オスコンタクト７００のメスコンタクト２００への挿入時に、受容部２１０の入り口近傍から挿入されたオスコンタクト７００の先端７２０がバネ部２８０に当接した位置までの距離Ｌ１（図１２参照）は、比較例において受容部２１０の入り口近傍から挿入されたオスコンタクト７００′の先端７２０がバネ部２８０に当接した位置までの距離Ｌ２（図１５参照）と比較して、長い。比較例のように距離Ｌ２が短いと、メスコンタクト２００にオスコンタクト７００′を挿入した際にオスコンタクト７００′の先端７２０によってバネ部２８０の接点２８２よりもバネの支点により近い位置を押すこととなるため、従って、バネ部２８０を変形させてオスコンタクト７００′をメスコンタクト２００内に挿入するためには、より大きな挿入力が必要となる。これに対して、本実施の形態によれば、先端７２０をバネ部２８０の接点２８２又はその近傍に最初に当接させることができることから、バネ部２８０の弾性を適切に利用することができ、従って、初期の挿入力を小さくすることができると共に挿入力の変化（増加）も緩やかなものとすることができる。本実施の形態によるオスコンタクト７００のメスコンタクト２００への挿入接続は、比較例によるオスコンタクト７００′のメスコンタクト２００への挿入接続と比較して、バネ部２８０の弾性を有効に使えることから、図１６のグラフの立上がり開始部分にて示されるように、初期の挿入力を抑えることができる。
【００３３】
また、本実施の形態においては、Ｘ方向において、第１テーパ範囲ＴＲ１が第２テーパ範囲ＴＲ２よりも長く、上側傾斜部７３０の傾斜角が下側傾斜部７４０の傾斜角よりも緩やかであるため、図１６のグラフのピークに至る直前の傾きにて示されるように、メスコンタクト２００の受容部２１０にオスコンタクト７００を挿入した際における挿入力の変化をより緩やかなものとすることができる。
【００３４】
更に、それらの複合的な効果として、図１６に示されるように、挿入力のピークも低くすることができる。
【００３５】
加えて、図１３及び図１４に示されるようにオスコンタクト７００をメスコンタクト２００に完全に挿入した状態においては、第２隆起部２７０から接触部７１０と下側傾斜部７４０との境界部までの距離で規定される下側の有効接触長Ｌｅを十分にとることができていることから、接続状態の信頼性を高めることができる。
【００３６】
ここで、挿入力のピークが出現するのは、本実施の形態の構造の場合、メスコンタクト２００のバネ部２８０の接点２８２がオスコンタクト７００の上側傾斜部７３０と接触部７１０との境界部を超えるときである。本実施の形態においては、メスコンタクト２００の側の形状・配置等の条件を統一する一方で、オスコンタクト７００ａ，７００ｂ，７００ｃに関しては段毎に形状・配置等の条件を異ならせることとしている。具体的には、オスコンタクト７００ａ，７００ｂ，７００ｃ毎に上側傾斜部７３０と接触部７１０の境界部から収容部８１０の前端までの距離Ｐ１，Ｐ２，Ｐ３を異ならせることとしたため、図１７及び図１８に示されるように、バネ部２８０の接点２８２がオスコンタクト７００ａ，７００ｂ，７００ｃの上側傾斜部７３０と接触部７１０との境界部を超えるタイミングを異ならせることができる。即ち、上段、中段、下段毎に挿入力のピークが出現するタイミングを異ならせることができる。従って、コネクタ組立体全体でみると、挿入力のピークがすべて重なってしまった場合と比較して、一時的に必要とされる最大挿入力を低くすることができる。
【００３７】
なお、本実施の形態においては、オスコンタクト７００ａ，７００ｂ，７００ｃの形状・配置等の条件のみを異ならせることとして挿入力のピークの出現タイミングを分散させることとしていたが、本発明はこれに限定されるものではなく、例えば、メスコンタクト２００側の形状・配置等の条件を異ならせることとして挿入力のピークの出現タイミングを分散させることとしてもよい。
【符号の説明】
【００３８】
１００        第１コネクタ
２００，２００ａ        メスコンタクト
２１０        受容部
２２０        結線部
２３０        かしめ部
２５０，２５０ａ        支持部
２６０        第１隆起部
２６２        立上がり部
２６４        頂点（立上がり部の最上点）
２７０        第２隆起部
２７２        立下がり部
２７４        頂点（立下がり部の最上点）
２６０ａ        隆起部
２６２ａ        立上がり部
２６４ａ        最上点
２７２ａ        立下がり部
２７４ａ        最上点
２７７        平面
２８０        バネ部
２８２        接点
３００        第１ハウジング
３００ｆ      前端
３００ｒ      後端
３１０        嵌合部
３２０        外覆部
３３０        コンタクト収容部
３４０        ランス
３５０        ロックアーム
３５５        係止爪
４００        フロントシール部材
４５０        フロントキャップ
４７０        規制突起
５００        リアシール部材
５５０        リアキャップ
６００        第２コネクタ
７００，７００ａ，７００ｂ，７００ｃ，７００′        オスコンタクト
７１０        接触部
Ｃｃ        （接触部の）中心
７２０        先端
Ｃｔ        （先端の）中心
７３０，７３０′        上側傾斜部
ＴＲ１        第１テーパ範囲
７４０，７４０′        下側傾斜部
ＴＲ２        第２テーパ範囲
７５０        固定部
７６０        保持部
８００        第２ハウジング
８００ｆ      前端
８００ｒ      後端
８１０        収容部
８１２        係止孔
８２０        搭載ポスト
９００        ケーブル
９１０        導線
９２０        外被
【図１】
2012079505.tif 000003
【図２】
2012079505.tif 000004
【図３】
2012079505.tif 000005
【図４】
2012079505.tif 000006
【図５】
2012079505.tif 000007
【図６】
2012079505.tif 000008
【図７】
2012079505.tif 000009
【図８】
2012079505.tif 000010
【図９】
2012079505.tif 000011
【図１０】
2012079505.tif 000012
【図１１】
2012079505.tif 000013
【図１２】
2012079505.tif 000014
【図１３】
2012079505.tif 000015
【図１４】
2012079505.tif 000016
【図１５】
2012079505.tif 000017
【図１６】
2012079505.tif 000018
【図１７】
2012079505.tif 000019
【図１８】
2012079505.tif 000020